(57)【要約】【課題】  本発明は目地部が狭くなるように揺れ動いても左右の壁パネルの先端部が前方へ突出して損傷することなく、その揺れ動きが停止すると自動的に元の状態へ戻すことができる壁パネル装置を得るにある。【解決手段】  目地部を覆う部位の左右の躯体に後端部がヒンジを介して取付けられ前方へ回動する先端部が対向する傾斜面に形成された左右の壁パネルと、この左右の壁パネルの背面の後端部寄りに所定寸法離れた部位に枢支部が位置するように取付けられたヒンジ部材と、このヒンジ部材の可動部材に両端部が枢支された中央維持リンク機構と、この中央維持リンク機構の中央枢支部に枢支された傾斜面に形成された支持バーと、この支持バーの傾斜面側の左右の壁パネルの一方の背面に取付けられた目地部が狭くなると支持バーの傾斜面によって前方へ突出させる山形状のせり上げガイドと、左右の壁パネルの先端部を常時左右の壁パネルが一直線状に付勢する付勢機構とで壁パネル装置を構成している。【選択図】  図２
2005030127.tif 000002
【特許請求の範囲】
【請求項１】
目地部を介して建てられた左右の建物の、該目地部を覆う部位の左右の躯体に後端部がヒンジを介して取付けられ、前方へ回動する先端部が対向する傾斜面に形成された目地部を覆う左右の壁パネルと、この左右の壁パネルの背面の後端部寄りの部位に、該左右の壁パネルの背面と所定寸法離れた部位に枢支部が位置するように取付けられた少なくとも２対以上のヒンジ部材と、この少なくとも２対以上のヒンジ部材の可動部材に両端部が枢支された少なくとも２個以上の中央維持リンク機構と、この少なくとも２個以上の中央維持リンク機構の中央枢支部に枢支された少なくとも前記左右の壁パネル側に設けられた、該左右の壁パネルの背面側の先端部が鋭角となる側が傾斜面に形成された支持バーと、この支持バーの傾斜面側の左右の壁パネルの一方の背面に取付けられた目地部が狭くなると、該支持バーの傾斜面によって前方へ突出させる山形状のせり上げガイドと、前記左右の壁パネルの先端部を常時前記支持バーに当接あるいは、該左右の壁パネルが一直線状となるように付勢する付勢機構とからなることを特徴とする壁パネル装置。
【発明の詳細な説明】
【技術分野】
【０００１】
本発明は目地部を介して設けられた左右の建物の壁面間の目地部を覆う壁パネル装置に関する。
【背景技術】
【０００２】
従来のこの種の壁パネル装置は、目地部を覆う左右の壁パネルの一方を目地部が狭くなると遊端部を前方へ回動させて、その揺れ動きを吸収する構造になっている。
【０００３】
従来のこの種の壁パネル装置は、一方の壁パネルを前方へ回動させる他方の壁パネルの幅寸法よりも目地部が狭くなると損傷してしまい、大きな寸法の揺れ動きを吸収することができないという欠点があった。
【特許文献１】特許３２０４９４３号公報
【発明の開示】
【発明が解決しようとする課題】
【０００４】
本発明は以上のような従来の欠点に鑑み、目地部が狭くなるように揺れ動いても左右の壁パネルの先端部が前方へ突出して損傷することなく、その揺れ動きを吸収することができるとともに、揺れ動きが停止すると自動的に元の状態へ戻すことができる壁パネル装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の、該目地部を覆う部位の左右の躯体に後端部がヒンジを介して取付けられ、前方へ回動する先端部が対向する傾斜面に形成された目地部を覆う左右の壁パネルと、この左右の壁パネルの背面の後端部寄りの部位に、該左右の壁パネルの背面と所定寸法離れた部位に枢支部が位置するように取付けられた少なくとも２対以上のヒンジ部材と、この少なくとも２対以上のヒンジ部材の可動部材に両端部が枢支された少なくとも２個以上の中央維持リンク機構と、この少なくとも２個以上の中央維持リンク機構の中央枢支部に枢支された少なくとも前記左右の壁パネル側に設けられた、該左右の壁パネルの背面側の先端部が鋭角となる側が傾斜面に形成された支持バーと、この支持バーの傾斜面側の左右の壁パネルの一方の背面に取付けられた目地部が狭くなると、該支持バーの傾斜面によって前方へ突出させる山形状のせり上げガイドと、前記左右の壁パネルの先端部を常時前記支持バーに当接あるいは、該左右の壁パネルが一直線状となるように付勢する付勢機構とで壁パネル装置を構成している。
【発明の効果】
【０００７】
以上の説明から明らかなように、本発明にあっては次に列挙する効果が得られる。
【０００８】
（１）目地部を介して建てられた左右の建物の、該目地部を覆う部位の左右の躯体に後端部がヒンジを介して取付けられ、前方へ回動する先端部が対向する傾斜面に形成された目地部を覆う左右の壁パネルと、この左右の壁パネルの背面の後端部寄りの部位に、該左右の壁パネルの背面と所定寸法離れた部位に枢支部が位置するように取付けられた少なくとも２対以上のヒンジ部材と、この少なくとも２対以上のヒンジ部材の可動部材に両端部が枢支された少なくとも２個以上の中央維持リンク機構と、この少なくとも２個以上の中央維持リンク機構の中央枢支部に枢支された少なくとも前記左右の壁パネル側に設けられた、該左右の壁パネルの背面側の先端部が鋭角となる側が傾斜面に形成された支持バーと、この支持バーの傾斜面側の左右の壁パネルの一方の背面に取付けられた目地部が狭くなると、該支持バーの傾斜面によって前方へ突出させる山形状のせり上げガイドと、前記左右の壁パネルの先端部を常時前記支持バーに当接あるいは、該左右の壁パネルが一直線状となるように付勢する付勢機構とからなるので、左右の壁パネルの両先端部を目地部が狭くなると前方へ回動させて、その揺れ動きを吸収することができる。
したがって、従来の一方の壁パネルを前方へ回動させるものに比べ、目地部が他方の壁パネルの幅寸法よりも小さくなる揺れ動きでも壁パネル等を損傷させることなく、吸収することができる。
【０００９】
（２）前記（１）によって、左右の壁パネルの先端部をスプリングの付勢力が作用するワイヤーで常時閉じる方向に付勢することができる。
したがって、左右の壁パネルの先端部を付勢するので確実に左右の壁パネルを閉じる方向に付勢でき、風等によるバタ付きを効率よく防止することができる。
【００１０】
（３）前記（１）によって、左右の壁パネルに中央維持機構、支持バーを取付けることができる。
したがって、左右の壁パネルの後端部に取付けられたヒンジ部材と付勢機構の他端部を外壁躯体に取付けるだけで取付けることができ、現場での取付け作業を容易に行なうことができる。
【００１１】
（４）前記（１）によって、構造が簡単で、容易に設置することができる。
【発明を実施するための最良な形態】
【００１２】
以下、図面に示す本発明を実施するための最良の形態により、本発明を詳細に説明する。
【００１３】
図１ないし図１０に示す本発明を実施するための最良の第１の形態において、１は左右の建物２、２の外壁面２ａ、２ａ間の目地部３を覆う本発明の壁パネル装置で、この壁パネル装置１は前記左右の建物２、２の目地部３の外壁躯体２ｂ、２ｂに後端部がほぼ直線状態よりも内側へ回動することのない図４に示すヒンジ４、４を介して取付けられた、前方へ回動する先端部が対向する傾斜面５、６に形成された目地部３を覆う左右の壁パネル７、８と、この左右の壁パネル７、８の背面の後端部寄りの部位に、該左右の壁パネル７、８の背面と所定寸法離れた部位に枢支部９、９が位置するように取付けられた、少なくとも２対以上のヒンジ部材１０、１０と、この少なくとも２対以上のヒンジ部材１０、１０の可動部材１０ａ、１０ａに両端部が枢支ピン１１、１１で枢支された少なくとも２個以上の中央維持リンク機構１２、１２と、この少なくとも２個以上の中央維持リンク機構１２、１２の中央枢支部１３、１３に枢支ピン１４、１４で枢支された、前記左右の壁パネル７、８側に設けられた該左右の壁パネル７、８の背面側の先端部が鋭角となる側が傾斜面１５に形成された支持バー１６と、この支持バー１６の傾斜面１５側の左右の壁パネル７、８の一方の背面に取付けられた、目地部３が狭くなると該支持バー１６の傾斜面１５によって前方へ突出させる山形状のせり上げガイド１７と、前記左右の壁パネル７、８の先端部を常時前記支持バー１６あるいは該左右の壁パネル７、８が一直線となるように付勢する付勢機構１８とで構成されている。
【００１４】
前記左右の壁パネル７、８は図５に示すように、左右の壁パネル枠１９、２０と、この左右の壁パネル枠１９、２０の前面を覆うように固定された左右の壁板２１、２２とで構成されている。
【００１５】
前記少なくとも２対以上のヒンジ部材１０、１０は図６に示すように、中央部が枢支部としての枢支ピン２３で枢支されたヒンジ部材本体２４と、このヒンジ部材本体２４の固定部材１０ｂの先端部にほぼ１３５度折り曲げて突出させた、前記左右の壁パネル７、８の背面の後端部寄りの部位に複数本のビス２５で固定される固定取付板２６と、前記ヒンジ部材本体２４の可動部材１０ａの先端部にほぼ直角に折り曲げて突出させた、前記中央維持リンク機構１２、１２の両端部の枢支ピン１１、１１が枢支される可動取付板２８とで構成されている。
【００１６】
前記少なくとも２個以上の中央維持リンク機構１２、１２は、図７に示すように四角枠形状のリンク機構２９と、このリンク機構２９の対向する一方のリンク２９ａ、２９ａのほぼ中央部に両端部が枢支ピン３０、３０で枢支された中央維持バー３１と、この中央維持バー３１の中央部に形成された枢支部としての枢支ピン挿入孔３２とで構成されている。
【００１７】
前記付勢機構１８は図８に示すように、前記左右の壁パネル７、８の一方の先端部に固定され、他端部は他方の壁パネル８の先端部に取付けられたガイドローラー３３および支持バー１６のワイヤー通過孔３４を通過し、一方の建物３の外壁躯体２ｂにスプリング３５によって常時巻取り方向にドラム３６が付勢された巻取り装置３７のドラム３６に取付けられたワイヤー３８とで構成されている。
【００１８】
上記構成の壁パネル装置１は通常時には巻取り装置３７の常時巻取り方向に付勢されたドラム３６によってワイヤー３８が引張られた状態になっているため、左右の壁パネル７、８はヒンジ４、４によってほぼ直線状態になっている。
【００１９】
地震等によって左右の建物２、２が異なる左右方向に揺れ動き、目地部３が広くなった場合には、図９に示すように左右の壁パネル７、８の先端部が離れるとともに、少なくとも２個以上の中央維持リンク機構１２、１２および付勢機構１８のワイヤー３８が伸長して、その揺れ動きを吸収し、揺れ動きが停止すると自動的に元の状態に戻る。
【００２０】
目地部３が狭くなるように揺れ動いた場合には、図１０に示すようにせり上げガイド１７が支持バー１６の傾斜面１５に当接して、一方の壁パネル７の先端部を付勢機構１８の付勢力に抗して前方へ回動するため、他方の壁パネル８の先端部も前方へ回動し、少なくとも２個以上の中央維持リンク機構１２、１２が一番収縮する寸法まで左右の壁パネル７、８が回動して、その揺れ動きを吸収し、揺れ動きが停止すると自動的に元の状態へ戻る。
【００２１】
左右の建物２、２が異なる前後方向に揺れ動いた場合には、ヒンジ４、４の一方が回動して、その揺れ動きを吸収する。
【００２２】
｛発明を実施するための異なる形態｝
次に、図１１ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１１ないし図１３に示す本発明を実施するための第２の形態において、前記本発明を実施するための最良の第１の形態と主に異なる点は、台形状の支持バー１６Ａと、一方の壁パネル７の先端部に固定するとともに、他方の壁パネル８の先端部のガイドローラー３３を介して他方の外壁躯体２ｂに取付けられた巻取り装置３７のドラム３６に取付けられたワイヤー３８を用いた付勢機構１８Ａと、左右の壁パネル７、８を通常時にバタ付くのを阻止する支持バー１６Ａと左右の壁パネル７、８の先端部間および左右の壁パネル７、８の先端部寄りの部位と中央維持リンク機構１２、１２の各リンク２９ａ、２９ａ、２９ａ、２９ａとの間に設けられた左右の壁パネル７、８を吸着固定する複数個の磁石３９、３９、３９、３９とを用いた点で、このように構成した壁パネル装置１Ａにしても、前記本発明を実施するための最良の第１の形態と同様な作用効果が得られる。
【００２４】
図１４ないし図１６に示す本発明を実施するための第３の形態において、前記本発明を実施するための第２の形態と主に異なる点は、支持バー１６Ａに左右の壁パネル７、８の先端部間のワイヤー３８をスライド移動可能に支持し、かつ常時スプリング４０によってドラム４１に巻付けるように付勢された支持ワイヤー４２を巻取る支持ワイヤー巻取り装置４３を使用した付勢機構１８Ｂを用いた点で、このような付勢機構１８Ｂを用いて構成した壁パネル装置１Ｂにしても、前記本発明を実施するための第２の形態と同様な作用効果が得られるとともに、より確実に左右の壁パネル７、８の移動後の元の状態への戻りを自動的に行なうことができる。
【００２５】
図１７ないし図１９に示す本発明を実施するための第４の形態において、前記本発明を実施するための第２の形態と主に異なる点は、巻取り装置３７、３７を左右の壁パネル７、８に取付けるとともに、該巻取り装置３７、３７に巻取られるワイヤー３８、３８を左右の壁パネル７、８の先端部のガイドローラー３３、３３を介して支持バー１６Ａに固定した付勢機構１８Ｃを用いた点で、このような付勢機構１８Ｃを用いて構成した壁パネル装置１Ｃにしても、前記本発明を実施するための第２の形態と同様な作用効果が得られる。
【００２６】
図２０ないし図２２に示す本発明を実施するための第５の形態において、前記本発明を実施するための最良の第１の形態と主に異なる点は、前面にガラス、石、タイル等の外壁化粧材取付部４４、４４が形成された左右の壁パネル本体７ａ、８ａと、この左右の壁パネル本体７ａ、８ａの外壁化粧材取付部４４、４４に固定されたガラス、石、タイル等の外壁化粧材４５、４５とで構成した左右の壁パネル７Ａ、８Ａを用いた点で、このような左右の壁パネル７Ａ、８Ａを用いて構成した壁パネル装置１Ｄにしても、前記本発明を実施するための最良の第１の形態と同様な作用効果が得られる。
【産業上の利用可能性】
【００２７】
本発明は壁パネル装置を製造する産業で利用される。
【図面の簡単な説明】
【００２８】
【図１】本発明を実施するための最良の第１の形態の正面図。
【図２】本発明を実施するための最良の第１の形態の拡大平面図。
【図３】本発明を実施するための最良の第１の形態の背面図。
【図４】本発明を実施するための最良の第１の形態のヒンジの説明図。
【図５】本発明を実施するための最良の第１の形態の左右の壁パネルの説明図。
【図６】本発明を実施するための最良の第１の形態のヒンジ部材の説明図。
【図７】本発明を実施するための最良の第１の形態の中央維持リンク機構の説明図。
【図８】本発明を実施するための最良の第１の形態の付勢機構の説明図。
【図９】本発明を実施するための最良の第１の形態の目地部が広くなった動作説明図。
【図１０】本発明を実施するための最良の第１の形態の目地部が狭くなった動作説明図。
【図１１】本発明を実施するための第２の形態の正面図。
【図１２】本発明を実施するための第２の形態の拡大平面図。
【図１３】図１１の１３−１３線に沿う断面図。
【図１４】本発明を実施するための第３の形態の正面図。
【図１５】本発明を実施するための第３の形態の拡大平面図。
【図１６】図１４の１６−１６線に沿う断面図。
【図１７】本発明を実施するための第４の形態の正面図。
【図１８】本発明を実施するための第４の形態の拡大平面図。
【図１９】図１７の１９−１９線に沿う断面図。
【図２０】本発明を実施するための第５の形態の正面図。
【図２１】本発明を実施するための第５の形態の拡大平面図。
【図２２】図２０の２２−２２線に沿う断面図。
【符号の説明】
【００２９】
１、１Ａ、１Ｂ、１Ｃ、１Ｄ：壁パネル装置、
２：建物、             
２ａ：外壁面、
２ｂ：外壁躯体、        ３：目地部、
４：ヒンジ、            ５、６：傾斜面、
７、７Ａ：左の壁パネル、８、８Ａ：右の壁パネル、
９：枢支部、            １０：ヒンジ部材、
１０ａ：可動部材、      １０ｂ：固定部材、
１１：枢支ピン、
１２：中央維持リンク機構、
１３：中央枢支部、      １４：枢支ピン、
１５：傾斜面、          １６、１６Ａ：支持バー、
１７：せり上げガイド、
１８、１８Ａ、１８Ｂ、１８Ｃ：付勢機構、
１９、２０：左右の壁パネル枠、
２１、２２：左右の壁板、２３：枢支ピン、
２４：ヒンジ部材本体、  ２５：ビス、
２６：固定取付板、      ２８：可動取付板、
２９：リンク機構、      ３０：枢支ピン、
３１：中央維持バー、    ３２：枢支ピン挿入孔、
３３：ガイドローラー、  ３４：ワイヤー通過孔、
３５：スプリング、      ３６：ドラム、
３７：巻取り装置、      ３８：ワイヤー、
３９：磁石、            ４０：スプリング、
４１：ドラム、          ４２：支持ワイヤー、
４３：支持ワイヤー巻取り装置、
４４：外壁化粧材取付部、４５：外壁化粧材。
【図１】
2005030127.tif 000003
【図２】
2005030127.tif 000004
【図３】
2005030127.tif 000005
【図４】
2005030127.tif 000006
【図５】
2005030127.tif 000007
【図６】
2005030127.tif 000008
【図７】
2005030127.tif 000009
【図８】
2005030127.tif 000010
【図９】
2005030127.tif 000011
【図１０】
2005030127.tif 000012
【図１１】
2005030127.tif 000013
【図１２】
2005030127.tif 000014
【図１３】
2005030127.tif 000015
【図１４】
2005030127.tif 000016
【図１５】
2005030127.tif 000017
【図１６】
2005030127.tif 000018
【図１７】
2005030127.tif 000019
【図１８】
2005030127.tif 000020
【図１９】
2005030127.tif 000021
【図２０】
2005030127.tif 000022
【図２１】
2005030127.tif 000023
【図２２】
2005030127.tif 000024